(57)【要約】【課題】昼間は日差しが庇板を透過して明るく、また、昼夜を問わず、優れた美感が得られ、庇板として板ガラスのような透光性を有する板材を用いたことの利点を十分に生かすことのできる庇を提供する。【解決手段】庇１は、建物の外壁面に取り付けられた支持枠３の内部に庇板としての板ガラス２の基端部が挿入されて支持されるとともに、板ガラス２の２箇所がそれぞれアーム４，４により吊持されている。前記支持枠３の内部には、板ガラス２の基端面と対向する位置に、投光部を構成するＬＥＤ７１が設けられている。【選択図】図１
2006274579.tif 000002
【特許請求の範囲】
【請求項１】
建物の外壁面に取り付けられた支持枠の内部に透光性を有する庇板の基端部が挿入されて支持されるとともに、前記庇板の少なくとも２箇所がそれぞれアームにより吊持されて成る庇において、前記支持枠の内部には、庇板の基端面と対向する位置に、投光部が設けられて成る庇。
【請求項２】
前記庇板は、透明な板ガラスにより構成されている請求項１に記載された庇。
【請求項３】
前記庇板は、その先端縁に少なくとも１個の縁枠が装着され、前記縁枠に各アームの下端部が連結されている請求項１または２に記載された庇。
【請求項４】
前記縁枠は、長さ方向に沿う摺動溝を有し、その摺動溝内に位置決め部材が摺動自由に保持されるとともに、前記位置決め部材には、各アームの下端部が連結される連結部材が前記摺動溝の溝開口に臨ませるように設けられている請求項３に記載された庇。
【請求項５】
前記投光部は、支持枠の内部に庇板の基端面に沿って取外し可能に配備されるホルダーと、前記ホルダーの複数箇所に庇板の基端面へ向けて取り付けられる複数個の光源とから成る請求項１に記載された庇。
【請求項６】
前記投光部は、支持枠の内部または外部に設けられる少なくとも１個の光源と、前記光源が発する光を支持枠の内部の庇板の基端面と対向する複数の位置へ導く複数本の光ファイバーとから成る請求項１に記載された庇。
【発明の詳細な説明】
【技術分野】
【０００１】
この発明は、建物の外壁面より張り出すように設けられる庇に関し、特にこの発明は、板ガラスのような透光性を有する庇板を用いて構成される庇に関する。
【背景技術】
【０００２】
従来、この種の庇は、庇板の基端部が建物の外壁面に取り付けられた支持枠により支持されるとともに、庇板の少なくとも２箇所がアームにより水平ないしは水平に近い角度で吊持されている（例えば、特許文献１参照）。各アームは、上端部が建物の外壁面に、下端部が庇板の板面に、それぞれ自在継ぎ手を介して接続されている。庇板の板面には、自在継ぎ手を取り付けるために取付孔が貫通して設けられている。
【０００３】
【特許文献１】特開２００３−１６０９９３号公報
【発明の開示】
【発明が解決しようとする課題】
【０００４】
上記した構成の庇は、庇板が板ガラスで構成されているので、昼間は日差しが庇板を透過して明るく、そのデザインも軽快でスマートであるが、夜間は暗くて意匠的効果はない。また、庇の周辺を明るくするには、適所に照明器具を設置する必要があるが、板ガラス製の庇板に照明器具を取り付けるのは容易でなく、仮に取り付けても庇の軽快かつスマートなデザインを損ねるだけである。しかも、庇板の表面に沿って電気コードを伝わせるので、庇の美感を著しく低下させてしまう。夜間の照明や庇のライトアップのために、庇の上方の壁面に照明器具を設置することもできるが、昼間、照明器具が庇板を透して見えるので、見栄えが著しく悪くなる。
このように、夜間の機能や美感の向上は昼間の美感の低下を招き、庇板として板ガラスを用いたことの利点を十分に生かすことができない。
【０００５】
この発明は、上記した問題に着目してなされたもので、昼間は日差しが庇板を透過して明るく、また、昼夜を問わず、優れた美感が得られ、庇板として板ガラスのような透光性を有する板材を用いたことの利点を十分に生かすことのできる庇を提供することを目的とする。
【課題を解決するための手段】
【０００６】
この発明による庇は、建物の外壁面に取り付けられた支持枠の内部に透光性を有する庇板の基端部が挿入されて支持されるとともに、前記庇板の少なくとも２箇所がそれぞれアームにより吊持されて成るものであり、前記支持枠の内部には、庇板の基端面と対向する位置に、投光部が設けられている。
【０００７】
上記した構成の庇では、昼間、庇板の上方より差し込んでくる日差しは庇板を透過するので、庇の下方が陽光によって明るく照らされる。夜間、投光部を作動させると、投光部からの光が庇板の基端面より庇板の内部に導入され、庇板の内部で全反射を繰り返しつつ進み、庇板の先端面や側端面より出る。これにより庇板は先端面や側端面が光り輝き、その周辺も明るくなる。
【０００８】
この発明の好ましい一実施態様においては、前記庇板は透明な板ガラスにより構成されているが、これに限らず、透明な合成樹脂板を用いることもできる。また、板ガラスは１枚ものに限らず、２枚以上を貼り合わせたものであってもよい。さらに、板ガラスや合成樹脂板は、必ずしも無色である必要はなく、着色されたものであってもよい。さらにまた、透明なものに限らず、半透明なものであってもよい。
なお、庇板の平面形状は、典型的には長方形状であるが、これに限定されるものではない。
【０００９】
この発明の上記した構成において、前記支持枠は庇板を全幅にわたって支持するために庇板の幅に相当する長さであるのが望ましいが、必ずしもそうである必要はない。また、必ずしも単一のものである必要はなく、複数に分割されたものであってもよい。
【００１０】
この発明の好ましい実施態様においては、前記庇板は、その先端縁に少なくとも１個の縁枠が装着され、前記縁枠に各アームの下端部が連結されている。
この実施態様によると、庇板にアームの下端部を接続するための穿孔などの特別な加工を必要としないので、庇板を板ガラスで構成した場合、穿孔による板ガラスの強度低下を招くおそれがない。
なお、各アームの下端部は、庇板の板面に直接連結する態様のものであってもよい。
【００１１】
前記縁枠は、さらに望ましくは、長さ方向に沿う摺動溝を有し、その摺動溝内に位置決め部材が摺動自由に保持されるとともに、前記位置決め部材には、各アームの下端部が連結される連結部材が前記摺動溝の溝開口に臨ませるように設けられている。
前記庇板の先端縁に１個の縁枠を装着する場合、前記縁枠の摺動溝内に２個の位置決め部材が摺動自由に保持される。また、前記庇板の先端縁に２個の縁枠を左右対称位置に装着する場合、各縁枠の摺動溝内にそれぞれ１個の位置決め部材が摺動自由に保持される。
この実施態様において、各アームの上端部を建物の外壁面に固定したとき、その固定位置に応じて位置決め部材を縁枠の摺動溝に沿って移動させて適所に位置決めする。各位置決め部材の連結部材を溝開口に臨ませているので、その連結部材にアームの下端部を連結して庇板を支持する。
この実施態様によると、位置決め部材を移動させてアームの下端部の接続位置が変更できるので、建物の外壁面に各アームの上端部を固定するうえで配線や構造上の障害があっても、その建物の外壁の状態に対応させることができる。
【００１２】
この発明の好ましい一実施態様においては、前記投光部は、支持枠の内部に庇板の基端面に沿って取外し可能に配備されるホルダーと、前記ホルダーの複数箇所に庇板の基端面へ向けて取り付けられる複数個の光源とから成るものである。
この実施態様によると、支持枠より取外しが可能なホルダー上に全ての光源が取り付けてあるので、光源の交換など、投光部の保守や管理のための作業が容易に行える。
【００１３】
この発明の好ましい他の実施態様においては、前記投光部は、支持枠の内部または外部に設けられる少なくとも１個の光源と、前記光源が発する光を支持枠の内部の庇板の基端面と対向する複数の位置へ導く複数本の光ファイバーとから成るものである。
この実施態様によると、光源を支持枠の外部に設けるか、または、支持枠の内部であって取外しが容易な位置に設けることにより、光源の交換など、投光部の保守や管理のための作業が容易に行える。なお、光源を支持枠の外部に設ける場合は、光ファイバーを支持枠の外部へ引き出すことになる。
【００１４】
上記した各実施態様において、光源としてＬＥＤを用いるのが望ましいが、これに限らず、豆電球などを用いることも可能である。また、ＬＥＤは青色など、種々の発光色のものを単一あるいは組み合わせて用いることが可能であり、さらには、光輝度タイプのもの、点滅タイプのものなど、自在に採択し得る。
【発明の効果】
【００１５】
この発明によると、透光性を有する庇板を用いたから、昼間は日差しが庇板を透過して明るく、そのデザインも軽快でスマートなものとなる。また、投光部からの光を庇板の基端面より内部へ導入するので、庇板の先端面や側端面が光り輝いて周辺が明るくなり、夜間においても優れた美感のものとなる。さらに、投光部は支持枠の内部に組み込まれているので、投光部やその電気配線が外部に露出せず、軽快かつスマートなデザインが損ねられたり、美感が低下したりすることがない。
【発明を実施するための最良の形態】
【００１６】
図１〜図３は、この発明の一実施例である庇１の外観とその設置状態を示している。
図示例の庇１は、建物の外壁面ａから張り出すように取り付けられる庇板としての板ガラス２と、建物の外壁面ａに取り付けられ前記板ガラス２の基端部を支持する支持枠３と、前記板ガラス２を２箇所で支持して水平ないしは水平に近い角度で吊持する２本のアーム４，４と、前記板ガラス２の先端縁の左右対称位置にそれぞれ装着されている縁枠５Ａ，５Ｂとで構成されている。前記支持枠３、アーム４、および縁枠５Ａ，５Ｂは金属製であるが、必要な強度が確保できるのであれば、必ずしも金属製である必要はなく、合成樹脂製であってもよい。
【００１７】
前記板ガラス２は、平面形状が横に長い矩形状であり、図４に示すように、２枚の透明な強化ガラス板２０，２１を強靱かつ無色透明なシート材２２を中間に挟んで一体接合して成るものである。前記シート材２２の表裏面には粘着層が設けられ、この粘着層によって各強化ガラス板２０，２１とシート材２２とが接合されるので、たとえ強化ガラス板２０，２１が強い衝撃を受けて破損しても、その破片が散乱することがない。なお、強化ガラス板２０，２１やシート材２２は透光性を有していれば、必ずしも無色透明である必要はない。
【００１８】
前記支持枠３は、板ガラス２の横幅と一致する長さを有するもので、板ガラス２の基端部を支持する本体フレーム３０と、本体フレーム３０の前面の上半分を覆う蓋板６とを含んでいる。支持枠３の両端面は開放され、各開放部は板状のキャップ６５，６５で塞がれねじ止めされている。
【００１９】
前記本体フレーム３０は、背板部３２の上端縁にやや下向きの上壁部３３が、高さ中央部および下端縁に水平な中間壁部３４および下壁部３５が、それぞれ突設されたものである。前記背板部３２には、上壁部３３と中間壁部３４との間に、アンカーボルト１００が挿入されるボルト挿通孔３６が一定間隔毎に設けられている。前記アンカーボルト１００上には前記蓋板６が被せられており、これによりアンカーボルト１００は外部から見えないようになっている。前記中間壁部３４と下壁部３５とは蓋板６より前方へ突き出ている。
【００２０】
前記中間壁部３４と下壁部３５との間には、投光部７が組み込まれる中空室３７と、板ガラス２の基端部が差し込まれる支持溝３１とが中間に仕切壁３８を介在させて形成されている。前記仕切壁３８には本体フレーム３０の全長にわたって連通孔３９が形成されている。この連通孔３９を介して支持溝３１と中空室３７とが連通し、板ガラス２の基端部が支持溝３１へ差し込まれたとき、板ガラス２の基端面は前記連通孔３９を介して中空室３７に面するようになっている。
【００２１】
前記支持溝３１内にはゴムなどのクッション材１０２が装填されるとともに、支持溝３１の開口部はシリコンなどのコーキング材１０３により密封されている。前記クッション材１０２は板ガラス２に作用する衝撃や振動を吸収するためのものであり、コーキング材１０３は支持溝３１内への雨水の浸入を防止するためのものである。
【００２２】
前記蓋板６は、アンカーボルト１００上を覆う前面部６ａと、上壁部３３の上面に支持される上面部６ｂとを備えている。上面部６ｂの先端縁には上壁部３３の基端部に形成された段部６０に係合する鈎状部６１が形成されている。蓋板６の前面部６ａには中間壁部３４の上面に突設された突壁部３４ａに係合する係合部６３が形成されている。蓋板６の上面部６ｂは複数箇所が上壁部３３にねじ６４により止め固定されるもので、蓋板６の上面部６ｂには前記ねじ６４の頭部を支持する孔６２が、前記本体フレーム３０の上壁部３３にはねじ６４がねじ込まれるねじ孔６７が、それぞれ形成されている。
【００２３】
前記投光部７は、本体フレーム３０の中空室３７に配備される長手形状の金属製のホルダー７０と、前記ホルダー７０の複数箇所に取り付けられる複数個のＬＥＤ７１とから成る。この実施例ではＬＥＤ７１は青色発光のＬＥＤを用いているが、赤色発光のＬＥＤや緑色発光のＬＥＤを用いてもよい。前記ホルダー７０は、前面側が全長にわたって開口する凹溝７２を有し、背面側には一対の突片７３，７３が全長にわたって突設されたものであり、中空室３７内を長さ方向へ摺動して一端部より挿脱できるようになっている。
【００２４】
前記ホルダー７０の凹溝７２には、図５に示すように、合成樹脂製のソケット７４が一定間隔毎に固定されており、各ソケット７４にＬＥＤ７１が支持されている。各ＬＥＤ７１は前記仕切壁３８の連通孔３９に臨ませており、連通孔３９を介して板ガラス２の基端面と対向位置する。隣り合うソケット７４，７４間は給電のためのコード線７５によって電気接続されている。一方の端部のコード線７８はホルダー７０の一端部の切欠７６より後方へ引き出され、互いに抜き差しが可能な連結プラグ７７Ａ，７７Ｂを介して外部引出用のコード線１０４に電気接続されている。コード線１０４は本体フレーム３０に形成された引出孔７９より引き出され、外壁面ａの内側へ引き込まれて電源（図示せず。）に接続される。
【００２５】
各アーム４は、長さ調節が可能な構成のものであり、図３および図６に示すように、金属製パイプより成るアーム本体４０の両端にねじ軸４１，４２を介して取付金具８，８０がそれぞれ取り付けられている。各ねじ軸４１，４２は一端部に前記取付金具８，８０の連結板８１が取り付けられ、他端部はアーム本体４０の両端に装着されたナット部材４３，４４にねじ込まれている。各ねじ軸４１，４２はねじの方向が逆方向であり、アーム本体４０を一方向へ回転させたとき、各ねじ軸４１，４２がアーム本体４０の両端より突き出てアーム４の長さが長くなる。また、アーム本体４０を反対方向へ回転させたとき、ねじ軸４１，４２がアーム本体４０の内部へ入り込んでアーム４の長さが短くなる。
【００２６】
アーム４の下端部側の取付金具８は、図６および図７に示すように、枢軸８２上に連結板８１と取付板８３とを回動自由に取り付けることにより連結板８１に対して取付板８３を屈曲可能としたものである。取付板８３は、基板部８３ｂ上に前記連結板８１を両側から挟む一対の支持板部８３ａ，８３ａが一体形成されたものである。前記基板部８３ｂには２個の貫通孔８５，８５が形成され、各貫通孔８５に後述する位置決め部材９のねじ軸９０，９０を挿通させてナット８６を装着する。
【００２７】
アームの上端部側の取付金具８０は、図１および図３に示すように、枢軸８２上に前記連結板８１と取付板８４とを回動自由に取り付けることにより連結板８１に対して取付板８４を屈曲可能としたものである。前記取付板８４は、基板部８４ｂ上に前記連結板８１を両側から挟む一対の支持板部８４ａ，８４ａが一体形成されたものである。前記基板部８４ｂには２個の貫通孔８９，８９が形成され、各貫通孔８９にアンカーボルト１０１をそれぞれ挿通して基板部８４ｂを建物の外壁面ａに固定する。
【００２８】
前記板ガラス２の先端縁には２個の縁枠５Ａ，５Ｂが左右対称位置に装着されている。各縁枠５Ａ，５Ｂは、図６に示すように、板ガラス２の先端縁が挿入される取付溝５０と、位置決め部材９を長さ方向へ摺動自由に保持する摺動溝５１とが全長にわたって形成されたものである。前記取付溝５０は、前面部５２と下壁部５３と上壁部５４との間に形成されており、この取付溝５０内には板ガラス２に作用する衝撃や振動を吸収するためのゴムなどのクッション材５５が装填されるとともに、取付溝５０の開口部は取付溝５０内への雨水の浸入を防止するシリコンなどのコーキング材５６により密封されている。なお、図中、５９は、前面部５２の外面に対向して突設された突壁であり、この突壁５９，５９間に化粧板などを取り付けることが可能である。
【００２９】
前記摺動溝５１は、上壁部５４の外面に全長にわたって突設された囲い壁５７内に形成されている。前記囲い壁５７は全長にわたる溝開口５８を備えており、この溝開口５８は、位置決め部材９が脱出しないように、前記位置決め部材９の幅より小さな溝幅に設定されている。
前記位置決め部材９は、前記摺動溝５１の溝幅とほぼ同一幅を有する金属製の板状体であり、アーム４の下端部との連結位置に位置決めされる。位置決め部材９の板面上には左右対称位置にねじ軸９０，９０が上向きに突設されている。各ねじ軸９０は前記摺動溝５１の溝開口５８より囲い壁５７の上方へ突出している。各ねじ軸９０はアーム４の下端に取り付けられた取付金具８に接続されるもので、取付金具８の取付板８３に形成された貫通孔８５にねじ軸９０を通し、その先端にナット８６を装着して締め付ける。
【００３０】
なお、上記した実施例は、板ガラス２の先端縁には２個の縁枠５Ａ，５Ｂを装着して、各縁枠５Ａ，５Ｂの摺動溝５１に位置決め部材９をそれぞれ摺動自由に設けたものであるが、図８に示すように、板ガラス２の先端縁に板ガラス２の横幅よりやや短い長さの１個の縁枠５を、板ガラス２と中心線を揃えて装着し、縁枠５の摺動溝５１に２個の位置決め部材９を摺動自由に設けるようにしてもよい。この実施例では、縁枠５の前面部５２に複数の透光孔（図示せず。）を開設し、板ガラス２の先端面より出る光が各透光孔を通って外部へ出るようにしている。なお、図８の実施例における縁枠５は上記した実施例の縁枠５Ａ，５Ｂと同様の構成であり、ここでは説明を省略する。
さらに、図示していないが、幅の大きな庇については、３本以上のアーム４を用いて板ガラス２を吊持してもよく、その場合に、板ガラス２の先端縁にアーム４の本数に応じた個数の縁枠を装着する。
【００３１】
上記の実施例は、板ガラス２の基端面より各ＬＥＤ７１が発する光を直接、板ガラス２の内部に導入する構成のものであるが、図９および図１０に示す実施例のように、ＬＥＤ７１が発する光を光ファイバー１１０を介して板ガラス２の内部へ導入するように構成することもできる。
【００３２】
図示例の投光部７は、本体フレーム３０の内部の一方のキャップ６５の内側位置にプリント基板１１１を配置し、そのプリント基板１１１上に複数のＬＥＤ７１を実装するとともに、各ＬＥＤ７１が発する光を複数の光ファイバー１１０により板ガラス２の基端面と対向する複数の位置へ導くように構成したものである。
全本数の光ファイバー１１０は、本体フレーム３０の中空室３７内に配備されており、一方の端面は全本数が束ねられてＬＥＤ７１に対向位置させ、他方の端面は１本ずつまたは複数本ずつ束ねて一定間隔毎に並べ、仕切壁３８の連通孔３９より支持溝３１内へ突出させて板ガラス２の基端面に対向位置させる。
なお、図示していないが、前記プリント基板１１１には電源供給用のコード線が接続され、そのコード線は本体フレーム３０の外部へ引き出されている。
【００３３】
図１１は、投光部７の他の実施例を示している。この実施例もＬＥＤ７１が発する光を光ファイバー１１０を介して板ガラス２の内部へ導入する構成のものであるが、光ファイバー１１０は本体フレーム３０の外部へ引き出されかつ外壁面ａの内側へ引き込まれ、外壁面ａの内側にて光ファイバー１１０の端面にＬＥＤ７１を対向させている。
【００３４】
図１２は、支持枠３の他の実施例を示している。この実施例の支持枠３は２個の支持枠３Ａ，３Ｂに分割して構成されたものであり、各支持枠３Ａ，３Ｂに投光部７が個別に組み込まれている。
なお、板ガラス２は平面形状が長方形状のものに限らず、例えば図１３に示すように、平面形状が半円形のものなど、任意の形状のものを採択できる。
【００３５】
上記した構成の庇１を建物の外壁面ａに設けるには、板ガラス２の設置位置に合わせて支持枠３を、アーム４の上端の固定位置に合わせて取付金具８０を、それぞれ外壁面ａに取り付ける。一方、板ガラス２はその先端縁を縁枠５Ａ，５Ｂの取付溝５０にそれぞれ挿入することにより縁枠５Ａ，５Ｂが装着される。次に、板ガラス２の基端部を前記支持枠３の支持溝３１に挿入して支持させるとともに、２本のアーム４により板ガラス２を吊持する。
【００３６】
まず、各アーム４の位置に応じて各縁枠５Ａ，５Ｂの位置決め部材９を摺動溝５１に沿って移動させて位置決めする。次に、各位置決め部材９のねじ軸９０，９０が摺動溝５１の溝開口５８より突出しているので、各ねじ軸９０にアーム４の下端部に取り付けた取付金具８を接続する。
庇の取付に際して、建物の外壁面ａにアーム４の上端部を固定する上で配線や構造上の支障があるときは、各アーム４の上端部の固定位置をずらせ、それに合わせて各位置決め部材９を適所に移動させれば、板ガラス２に対する各アーム４の下端部の接続位置も自由に変更できる。
【００３７】
上記した構成の庇１では、昼間、板ガラス２の上方より差し込んでくる日差しは板ガラス２を透過するので、庇１の下方が陽光によって明るく照らされる。夜間、投光部７のＬＥＤ７１を点灯させると、各ＬＥＤ７１が発する光が板ガラス２の基端面より板ガラス２の内部に導入され、板ガラス２の内部を全反射を繰り返しつつ進み、板ガラス２の先端面や側端面より出る。これにより板ガラス２の先端面や側端面が光り輝き、その周辺も明るくなる。
なお、ＬＥＤ７１を交換する場合は、キャップ６５を外した後、ホルダー７０を支持枠３より抜き取る。図９の実施例では、キャップ６５を外してプリント基板１１１を取り出す。
【図面の簡単な説明】
【００３８】
【図１】この発明の一実施例である庇の外観を示す斜視図である。
【図２】図１の庇を建物の外壁面に設置した状態を示す平面図である。
【図３】図１の庇を建物の外壁面に設置した状態を示す側面図である。
【図４】板ガラスと支持枠の構成を示す断面図である。
【図５】ホルダーの構成を示す斜視図である。
【図６】縁枠の構成とアームの取付状態とを示す断面図である。
【図７】アームの下端部の取付金具の構成を示す分解斜視図である。
【図８】縁枠の他の実施例を示す斜視図である。
【図９】投光部の他の実施例を示す断面図である。
【図１０】図８の投光部の構成を示す平面図である。
【図１１】投光部の他の実施例を示す平面図である。
【図１２】支持枠の他の実施例を示す平面図である。
【図１３】庇板の他の実施例を示す平面図である。
【符号の説明】
【００３９】
１    庇
２    板ガラス（庇板）
３    支持枠
４    アーム
５，５Ａ，５Ｂ  縁枠
７    投光部
９    位置決め部材
５１  摺動溝
５８  溝開口
７０  ホルダー
７１  ＬＥＤ
９０  ねじ軸
１１０  光ファイバー
【図１】
2006274579.tif 000003
【図２】
2006274579.tif 000004
【図３】
2006274579.tif 000005
【図４】
2006274579.tif 000006
【図５】
2006274579.tif 000007
【図６】
2006274579.tif 000008
【図７】
2006274579.tif 000009
【図８】
2006274579.tif 000010
【図９】
2006274579.tif 000011
【図１０】
2006274579.tif 000012
【図１１】
2006274579.tif 000013
【図１２】
2006274579.tif 000014
【図１３】
2006274579.tif 000015